(57)【要約】【課題】複雑な機構や制御を必要とせず、凝集し易いインクが余白なし記録に使用される場合にも、インク吸収部におけるインクの堆積量を低減することが可能なインクジェット記録装置等の提供を目的とする。【解決手段】インクジェット記録装置において、記録媒体の端部より外側に位置するインク吸収部に対して堆積し易いインクが吐出された場合、そのインク吸収部に対し、堆積しにくい第２のインクをインク吸収部上に着弾させてインク吸収部上に堆積したインクを溶解させる。【選択図】図８
2007320250.tif 000002
【特許請求の範囲】
【請求項１】
インクを吐出する記録手段を記録媒体の搬送方向と交差する走査方向へと走査させつつ前記記録手段から記録媒体へとインクを吐出して記録を行うと共に、前記記録媒体の端部より内側の領域および当該端部より外側に位置するインク吸収部に対しインクを吐出することを可能とするインクジェット記録装置であって、
前記記録手段を、前記インク吸収部に堆積し易い第１のインクを吐出可能な第１のインク吐出部と、前記インク吸収部に堆積したインクを前記インク吸収部内に吸収され易い状態にする第２のインクを吐出可能な第２のインク吐出部とを前記走査方向へと順次配置して構成すると共に、
前記第１、第２の吐出部のインク吐出動作および走査を制御する制御手段を設け、
前記制御手段は、前記第１のインクにて前記記録媒体および前記インク吸収部上にインクを吐出させた後、前記第２の吐出部から吐出される第２のインクを、前記インク吸収部上に着弾させることを特徴とするインクジェット記録装置。
【請求項２】
前記制御手段は、前記第２のインクを前記インク吸収部上に着弾させた後、前記インク吸収部上に着弾させた領域に前記第２のインクを着弾させることを特徴とする請求項１に記載のインクジェット記録装置。
【請求項３】
前記制御手段は、前記第１のインクにて前記記録媒体から前記インク吸収部上に亘ってインクを吐出させた後、前記記録媒体のサイズに応じた前記インク吸収部上の領域に前記第２のインクを着弾させることを特徴とする請求項１または２に記載のインクジェット記録装置。
【請求項４】
前記制御手段は、前記インク吸収部上に設定した複数の分割領域それぞれに対する前記第１の吐出部のインク吐出数をカウントし、そのカウント値が予め設定した閾値を超えた分割領域に対し、前記第２のインクを着弾させることを特徴とする請求項１ないし３のいずれかに記載のインクジェット記録装置。
【請求項５】
前記制御手段は、前記インク吸収部上に設定した複数の分割領域それぞれに対する前記第１の吐出部のインク吐出数をカウントし、前記各分割領域のカウント値の大小に応じた数だけ前記各分割領域内のインク吸収体にインクを着弾させることを特徴とする請求項１ないし４のいずれかに記載のインクジェット記録装置。
【請求項６】
前記制御手段は、前記カウント値が予め設定した閾値を超えた分割領域に対し、前記第２のインクを着弾させた後、当該閾値を越えた分割領域に対するカウント値をリセットすることを特徴とする請求項４または５に記載のインクジェット記録装置。
【請求項７】
前記インク吸収部は、記録ヘッドから吐出されたインクを吸収する吸収体と、該吸収体の下方に連通し、前記吸収体に吸収された廃インクを吸引して保持する廃インク保持部とを有することを特徴とする請求項１ないし６のいずれかに記載のインクジェット記録装置。
【請求項８】
前記記録媒体の端部より内側の領域から当該端部より外側に位置するインク吸収部に亘ってインクを吐出することによって、前記記録媒体の端部に余白を設けずに画像記録を行う余白なし記録を可能とすることを特徴とする請求項１ないし７のいずれかに記載のインクジェット記録装置。
【請求項９】
前記記録媒体の端部より外側に位置するインク吸収部に対するインク吐出は、記録ヘッドの吐出性能を維持するために行われる予備吐出であることを特徴とする請求項１ないし８のいずれかに記載のインクジェット記録装置。
【請求項１０】
インクを吐出する記録手段を記録媒体の搬送方向と交差する走査方向へと走査させつつ前記記録手段から記録媒体へとインクを吐出して記録を行うと共に、前記記録媒体の端部より内側の領域および当該端部より外側に位置するインク吸収部に対しインクを吐出することを可能とするインクジェット記録装置の制御方法であって、
前記記録手段を、前記インク吸収部に堆積し易い第１のインクを吐出可能な第１のインク吐出部と、前記インク吸収部に堆積したインクを前記インク吸収部内に吸収部に吸収され易い状態にする第２のインクを吐出可能な第２のインク吐出部とを前記走査方向へと順次配置して構成し、
前記第１のインクにて前記記録媒体および前記インク吸収部上にインクを吐出させた後、前記第２の吐出部から吐出される第２のインクを、前記インク吸収部上に着弾させるよう前記記録手段を制御することを特徴とするインクジェット記録装置の制御方法。
【発明の詳細な説明】
【技術分野】
【０００１】
本発明は、記録媒体の搬送方向と交差する方向に記録ヘッドを走査させて記録動作を行うシリアル型インクジェット記録装置に関する。特に、記録媒体の端部より内側の領域からその端部より外側に位置するインク吸収部に亘ってインクを吐出することにより記録媒体の端部にまで画像の形成を行う余白なし記録を行う場合に好適なインクジェット記録装置に関する。
【背景技術】
【０００２】
近年、コンピュータにて作成された画像やデジタルカメラなどの撮像装置で撮像された画像の出力装置として、記録ヘッドのノズルから記録媒体上へインクを吐出することにより記録を行うインクジェット記録装置が広く用いられている。このインクジェット記録装置は、小型かつ安価な構成によって銀塩写真に匹敵する高品位な画像の形成が可能になっている。現在では、銀塩写真と同様に、記録媒体の端部に余白を設けず、記録媒体全面に画像を記録することができる装置も実現されている。このような記録媒体の全面に記録を行う記録形態は、一般に余白無し記録あるいは縁無し記録などと呼ばれている。この余白無し記録を確実に実行するためには、記録媒体の端部から外側にはみ出す領域までインクを吐出させることが必要となる。この際、記録媒体の外側に吐出されたインクが、記録媒体を支持するプラテン上に着弾すると、続いて行われる記録動作において記録媒体の裏面にインクが付着する虞がある。そこで、こうした不都合を解消する方法として、記録媒体の外側に吐出されたインクを、インク吸収体により吸収する方法が提案されている。このインク吸収体は、プラテンの溝部に設けられており、記録用紙の外側に吐出されたインクを吸収し、プラテンが汚れるのを防止している。
【０００３】
ところが、インクジェット記録装置によっては、インク吸収体に対する浸透性が低く、インク吸収体の表面に凝集し易いインクを使用するものもある。こうしたインクジェット記録装置では、インク吸収体の表面にインクが堆積し、その堆積物によって記録媒体の裏面の汚損や、記録媒体の搬送不良などが生じることがある。さらに、インク吸収体に堆積したインクがプラテン上に溢れたり、記録ヘッドの吐出口形成面と接触したりするという不具合を引き起こすこともある。
【０００４】
このような不具合を解決する手段を有するものとして、特許文献１には、プラテンに設けられた溝部にインクを吸引するためのインク吸引機構を備えるインクジェット装置が開示されている。
【０００５】
また、特許文献２には、記録媒体の端部周辺まで画像を形成する余白無し記録において、凝集し易いインクを使用せず、浸透性の高いインクのみを使用するような制御を行うインクジェット装置も開示されている。
【０００６】
【特許文献１】特開２００２−２２５３１１号公報
【特許文献２】特開２００２−３２６３４５号公報
【発明の開示】
【発明が解決しようとする課題】
【０００７】
しかしながら、特許文献１に開示されている技術においては、インク吸収機構に多くの構成部品を要すると共に、機構や制御が複雑となり、小型化や低価格化の妨げになるという問題がある。
【０００８】
また、特許文献２では、凝集し易いインクが持つ有効な特性、例えば、凝集し易いインクが浸透性の高いインクよりも高濃度の発色性を持つ場合、画像にメリハリが出るという特性、を生かし切れないことがある。つまり、製品価値が十分に発揮されないという問題が生じる。また、インクジェット記録装置の設計において、インクの選択肢が減るという問題も生じる。
【０００９】
本発明は、上記課題に着目してなされたものであり、複雑な機構や制御を必要とせず、凝集し易いインクが余白なし記録に使用される場合にも、インク吸収部におけるインクの堆積量を低減することが可能なインクジェット記録装置等の提供を目的とする。
【課題を解決するための手段】
【００１０】
上記目的を達成するため、本願発明は以下の構成を有するものとなっている。
【００１１】
すなわち、本発明の第１の形態は、インクを吐出する記録手段を記録媒体の搬送方向と交差する走査方向へと走査させつつ前記記録手段から記録媒体へとインクを吐出して記録を行うと共に、前記記録媒体の端部より内側の領域および当該端部より外側に位置するインク吸収部に対しインクを吐出することを可能とするインクジェット記録装置であって、前記記録手段を、前記インク吸収部に堆積し易い第１のインクを吐出可能な第１のインク吐出部と、前記インク吸収部に堆積したインクを前記インク吸収部内に吸収され易い状態にする第２のインクを吐出可能な第２のインク吐出部とを前記走査方向へと順次配置して構成すると共に、前記第１、第２の吐出部のインク吐出動作および走査を制御する制御手段を設け、前記制御手段は、前記第１のインクにて前記記録媒体および前記インク吸収部上にインクを吐出させた後、前記第２の吐出部から吐出される第２のインクを、前記インク吸収部上に着弾させることを特徴とする。
【００１２】
また、本発明の第２の形態は、インクを吐出する記録手段を記録媒体の搬送方向と交差する走査方向へと走査させつつ前記記録手段から記録媒体へとインクを吐出して記録を行うと共に、前記記録媒体の端部より内側の領域および当該端部より外側に位置するインク吸収部に対しインクを吐出することを可能とするインクジェット記録装置の制御方法であって、前記記録手段を、前記インク吸収部に堆積し易い第１のインクを吐出可能な第１のインク吐出部と、前記インク吸収部に堆積したインクを前記インク吸収部内に吸収され易い状態にする第２のインクを吐出可能な第２のインク吐出部とを前記走査方向へと順次配置して構成し、前記第１のインクにて前記記録媒体および前記インク吸収部上にインクを吐出させた後、前記第２の吐出部から吐出される第２のインクを、前記インク吸収部上に着弾させるよう前記記録手段を制御することを特徴とする。
【発明の効果】
【００１３】
本発明によれば、インク吸収部に堆積し易い第１のインクを吐出させた場合にも、その堆積し易い第１のインクが吐出された位置に、第２のインクを吐出させてインク吸収部に堆積したインクを前記インク吸収部内に吸収され易い状態にする。そのため、インク収容部における堆積物を、上記のような単純な制御によって確実に低減することができる。従って、本発明によれば従来のようにインク吸収部に吸引機構を設ける必要もなく、装置を安価に構成することができると共に、インクジェット記録装置の設計において凝集し易いインクを候補からはずす必要がなくなり、設計の自由度が大幅に拡大される。これにより、多種類のインクを搭載可能なインクジェット記録装置において、使用するインクの選択肢が広がり、その製品価値を十分に発揮させることが可能になる。
【発明を実施するための最良の形態】
【００１４】
以下、図面を参照して本発明の実施形態を詳細に説明する。
（第１の実施形態）
図１は本実施形態で適用するインクジェット記録装置を、その外装部を取り外して内部機構を露出させた状態で示す斜視図である。  
図１において、給紙部は圧板Ｍ２０１０上に積載された記録媒体を１枚ずつ分離してプラテンＭ３０４０側へと送給する機構を有する。用紙搬送部は、送給された記録媒体を記録ヘッドによる記録領域に向けて挟持搬送する搬送ローラＭ３０６０とこれに対向して設けられたピンチローラＭ３０７０とからなるローラ対、搬送ローラＭ３０６０の駆動源となる搬送モータＥ０００２などを有する。排紙部は、記録媒体を記録領域から排出させるための排紙ローラＭ３１１０およびこれと協働する複数の拍車ローラ等を有する。
【００１５】
キャリッジ部は、記録ヘッドを取り付けるためのキャリッジＭ４０００を有しており、キャリッジＭ４０００は、ガイドシャフトＭ４０２０およびガイドレールＭ１０１１によって支持されている。ガイドシャフトＭ４０２０は、記録媒体の搬送方向（Ｙ方向）に対して直角方向にキャリッジＭ４０００を往復走査させるように案内支持している。キャリッジＭ４０００は、シャーシＭ１０１０に取り付けられたキャリッジモータＥ０００１によりタイミングベルトＭ４０４１を介して駆動される。
【００１６】
上記構成において記録媒体に画像を形成する場合、その画像の行方向への記録位置は、搬送ローラＭ３０６０およびピンチローラＭ３０７０からなるローラ対が、記録媒体を搬送することによって位置決めする。また、画像の列方向への位置に対しては、キャリッジモータＥ０００１によりキャリッジＭ４０００を上記搬送方向と垂直な方向に移動させて、記録ヘッドを目的の画像形成位置に配置させる。位置決めされた記録ヘッドは、電気制御基板Ｅ００１４からの信号に従って、記録媒体に対しインクを吐出する。本実施形態では、記録ヘッドにより記録を行いながらキャリッジＭ４０００が列方向に移動する主走査と、搬送ローラＭ３０６０により記録媒体が行方向に搬送される副走査とを交互に繰り返すことにより、記録媒体上に画像を形成していくようになっている。
【００１７】
次に、図２に基づき本実施形態で適用するヘッドカートリッジＨ１０００の構成について説明する。  
本実施形態におけるヘッドカートリッジＨ１０００は、記録ヘッドＨ１００１と、インクタンクＨ１９００を搭載する手段、およびインクタンクＨ１９００から記録ヘッドにインクを供給するための手段を有している。このヘッドカートリッジＨ１０００は、キャリッジＭ４０００に対して着脱可能に搭載される。図２では、ヘッドカートリッジＨ１０００に対し、インクタンクＨ１９００を装着する様子を示している。
【００１８】
本実施形態の記録装置は、８色のインクによって画像を形成するものとなっており、そのため各々独立した構成の８色分のインクタンクＨ１９００が用意されている。これらインクタンクＨ１９００は、ヘッドカートリッジＨ１０００に対してそれぞれ着脱自在となっている。なお、インクタンクＨ１９００の着脱は、キャリッジＭ４０００にヘッドカートリッジＨ１０００が搭載された状態で行えるようになっている。
【００１９】
図３は、ヘッドカートリッジＨ１０００の分解斜視図である。  
図３において、ヘッドカートリッジＨ１０００は、第１の記録素子基板Ｈ１１００および第２の記録素子基板Ｈ１１０１、第１のプレートＨ１２００、第２のプレートＨ１４００、電気配線基板Ｈ１３００を備える。さらに、ヘッドカートリッジは、タンクホルダーＨ１５００、流路形成部材Ｈ１６００、フィルターＨ１７００、シールゴムＨ１８００などを備えて構成されている。
【００２０】
第１の記録素子基板Ｈ１１００および第２の記録素子基板Ｈ１１０１はＳｉ基板であり、その片面にインクを吐出するための複数の記録素子（ノズル）がフォトリソグラフィ技術により形成されている。各記録素子に電力を供給するＡｌ等の電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【００２１】
それぞれ異なるインク色に対応する記録素子の列（以下ノズル列ともいう）は、記録媒体の搬送方向に１２００ｄｐｉ（ｄｏｔ／ｉｎｃｈ；参考値）の間隔で並ぶ７６８個のノズルによって構成され、それぞれ約２ピコリットルのインク滴を吐出させる。各ノズル吐出口における開口面積は、およそ１００平方μｍ２に設定されている。また、第１の記録素子基板Ｈ１１００および第２の記録素子基板Ｈ１１０１は第１のプレートＨ１２００に接着固定されている。この第１のプレートＨ１２００には、第１の記録素子基板Ｈ１１００および第２の記録素子基板Ｈ１１０１にインクを供給するためのインク供給口Ｈ１２０１が形成されている。
【００２２】
さらに、第１のプレートＨ１２００には、開口部を有する第２のプレートＨ１４００が接着固定されている。この第２のプレートＨ１４００は、電気配線基板Ｈ１３００と第１の記録素子基板Ｈ１１００および第２の記録素子基板Ｈ１１０１とが電気的に接続されるように、電気配線基板Ｈ１３００を保持している。
【００２３】
この電気配線基板Ｈ１３００は、第１の記録素子基板Ｈ１１００および第２の記録素子基板Ｈ１１０１に形成されている各ノズルからインクを吐出するための電気信号を印加するものである。この電気配線基板Ｈ１３００は、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００２４】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００２５】
そして、タンクホルダーＨ１５００、流路形成部材Ｈ１６００、フィルターＨ１７００及びシールゴムＨ１８００から構成されるタンクホルダー部と、記録ヘッド部Ｈ１００１とを接着等で結合することで、ヘッドカートリッジＨ１０００が構成される。
【００２６】
図４は本発明の第１の実施例における記録ヘッドのノズル群の配列構成を示す。  
図４において、１３０２は第１の記録素子基板Ｈ１１０１に対応し、高速フルカラー記録を可能とする第１の記録ヘッド部、１３０３は第２の記録素子基板Ｈ１１００に対応し、高画質記録を可能とする第２の記録ヘッド部である。
【００２７】
第１の記録ヘッド部１３０２は、フルカラーを減法混色で再現するための３原色の色材であるイエロー、マゼンタおよびシアンのインク（第２のインク）をそれぞれ吐出する吐出部（第２の吐出部）１３０４、１３０５および１３０６を有している。それぞれの吐出部は、記録ヘッドＨ１００１の走査方向（Ｘ方向）と異なる方向、例えばＸ方向と略直交する方向である記録媒体搬送方向（Ｙ方向）に沿って配列され、かつ一色のインクにつきノズル列を２列有している。また、これら２列のノズル列間では、各ノズルは１／２ピッチだけ搬送方向にずらして配置される。なお、図において吐出部１３０４の左側に示されている２つの吐出部（各２列）は、本実施形態では非使用の吐出部となっている。
【００２８】
一方、第２の記録ヘッド部１３０３は、第２のインクとして、出力画像の階調性を高めるためのライトシアンインクおよびライトマゼンタインクをそれぞれ吐出する吐出部１３０７および１３０９が設けられている。また、出力画像のコントラストを高めるためのブラックインクを吐出する吐出部１３０８も設けられている。さらに、本実施形態では、前記の３原色だけでは再現できない色域を再現可能とするために、２種類の特色インク（特殊インク１および特殊インク２（第１のインク））を吐出する吐出部１３１０および吐出部１３１１（第１の吐出部）も備えられている。なお、記録ヘッド部１３０３においても、各色インク用の吐出部１３０７〜１３１１のそれぞれについても、記録ヘッド部１３０２と同様、２列のノズル列で構成されている。なお、本実施形態に使用する以上のインクは、染料を色材とする染料インクを用いている。
【００２９】
次に本実施形態における制御系について説明する。
【００３０】
図５は、本発明の実施形態における制御系の全体構成を概略的に説明するためのブロック図である。
【００３１】
本実施形態で適用する記録装置では、主にキャリッジ基板（ＣＲＰＣＢ）Ｅ００１３、メインＰＣＢ（Ｐｒｉｎｔｅｄ  Ｃｉｒｃｕｉｔ  Ｂｏａｒｄ）Ｅ００１４、電源ユニットＥ００１５、フロントパネルＥ０１０６等によって構成されている。  
ここで、電源ユニットＥ００１５は、メインＰＣＢ  Ｅ００１４と接続され、各種駆動電源を供給するものとなっている。
【００３２】
キャリッジ基板Ｅ００１３は、キャリッジＭ４０００に搭載されたプリント基板ユニットであり、ヘッドコネクタ  Ｅ０１０１を通じて記録ヘッドＨ１００１との信号の授受を行うインターフェイスとして機能する。また、キャリッジＭ４０００の移動に伴ってエンコーダセンサＥ０００４から出力されるパルス信号に基づいて、エンコーダスケールＥ０００５とエンコーダセンサＥ０００４との位置関係の変化を検出される。さらにその検出信号をフレキシブルフラットケーブル（ＣＲＦＦＣ）Ｅ００１２を通じてメインＰＣＢ  Ｅ００１４へと出力する。キャリッジ基板Ｅ００１３には、周囲温度温度を検出するためのサーミスタなどの温度センサや所要の光学センサが設けられている。これらのセンサ（ＯｎＣＲ）Ｅ０１０２から得られる情報は、記録ヘッドカートリッジＨ１０００に設けた温度センサ（不図示）からのヘッド温度情報と共にフレキシブルフラットケーブル（ＣＲＦＦＣ）Ｅ００１２を通じてメインＰＣＢ  Ｅ００１４へ出力される。
【００３３】
メインＰＣＢ  Ｅ００１４は、本実施形態におけるインクジェット記録装置の各部の駆動制御を司るプリント基板ユニットである。この基板ユニット上には、各種の演算、判別、制御などを行う制御手段としてのＣＰＵ、およびそのＣＰＵが実行するプログラムを格納したＲＯＭなどが設けられている。また、メインＰＣＢ  Ｅ００１４は、紙端検出センサ（ＰＥセンサ）Ｅ０００７、Ａｕｔｏｍａｔｉｃ  Ｓｈｅｅｔ  Ｆｅｅｄｅｒ（ＡＳＦ）センサＥ０００９、カバーセンサＥ００２２およびホストインタフェース（ホストＩ／Ｆ）Ｅ００１７を有している。また、メインＰＣＢ  Ｅ００１４は、キャリッジＭ４０００を主走査させるための駆動源となるキャリッジモータＥ０００１、記録媒体を搬送するための駆動源となるＬＦモータＥ０００２に接続されている。さらに、記録ヘッドＨ１００１の回復動作の駆動源となるモータＥ０００３、記録媒体の給紙動作の駆動源となるＡＳＦモータＥ０１０５などの各種モータも、メインＰＣＢ  Ｅ０００１と接続されて各機能の駆動が制御されている。また、メインＰＣＢ  Ｅ０００１は、インクエンプティセンサ、メディア（紙）判別センサ、キャリッジ位置（高さ）センサ、ＬＦエンコーダセンサ、ＰＧセンサなどの各種オプションユニットの装着や動作状態を示す様々なセンサ信号Ｅ０１０４に接続されている。さらに、メインＰＣＢ  Ｅ０００１は、各種オプションユニットの駆動制御を行うために、オプション制御信号Ｅ０１０８を出力する。また、メインＰＣＢ  Ｅ００１４は、ＣＲＦＦＣ  Ｅ００１２、電源ユニットＥ００１５およびフロントパネルＥ０１０６とそれぞれ接続し、パネル信号Ｅ０１０７によって情報のやり取りを行うための、インターフェイスを有している。
【００３４】
フロントパネルＥ０１０６は、記録装置本体の正面に設けたユニットであり、リジュームキーＥ００１９、ＬＥＤ  Ｅ００２０、電源キーＥ００１８、さらにデジタルカメラ等の周辺デバイスとの接続に用いるデバイスＩ／Ｆ  Ｅ０１００を有している。
【００３５】
ここで、この実施形態に使用するプラテンＭ３０４０の構成を、図６および図７に基づき説明する。  
図６は、プラテンおよびその上流側およびその周辺機構を概略的に示す一部縦断側面図である。図６において、プラテンＭ３０４０は、記録ヘッドＨ１００１に対し、所定の間隙を介して対向しており、その中央部には記録ヘッドの走査方向（Ｘ方向）に延在する溝３０４１が形成されている。この溝３０４１には、多孔質体（例えばスポンジ）などからなるインク吸収体Ｍ３０４５が埋設されており、記録ヘッドＨ１００１の各ノズルから吐出されたインクを受け止めることが可能となっている。また、プラテンＭ３０４０の中央部には、下方に向けて延在するインク導出路Ｍ３０４２が形成されており、その上端はインク吸収体Ｍ３０４５の底部に連通している。一方、インク吸収体Ｍ３０４５の下方には、所定の間隙を介して対向する廃インク保持部Ｍ３０４６が設けられている。この廃インク保持体Ｍ３０４６も多孔質体などのインクを吸収・保持可能な素材によって形成されおり、この廃インク保持部Ｍ７０９０とその上方に設けられたインク吸収体Ｍ３０４５とにより、インク吸収部が構成されている。
【００３６】
また、図７にインク吸収体の平面形状を示す。図示のように、インク吸収体Ｍ３０４５は、プラテンＭ３０４０の長手方向（Ｘ方向）に沿って、プラテンＭ３０４０の一端から他端（図中、左端から右端）に亘って延在している。従って、記録ヘッドＨ１００１から吐出されたインクは、全てインク吸収体Ｍ３０４５で受け止めることが可能になっている。
【００３７】
このように構成されたインク吸収部において、余白なし記録などによってインク吸収体Ｍ３０４５の上面に吐出されたインクは、その毛管力によってインク吸収体Ｍ３０４５内に吸収される。そして、インク吸収体Ｍ３０４５内に吸収されたインクは、図６に示すように、インク導出路Ｍ３０４２を経て下方のインク保持体Ｍ７０９０に滴下され、ここで保持される。但し、インクの凝集性が高いものの場合には、インク吸収体Ｍ３０４５の上面に色材などが堆積することがあり、インクの吐出に伴って堆積物が徐々に増大する可能性がある。そこで、この第１の実施形態では、下記の制御動作によって、インク吸収体Ｍ３０４５上の堆積を低減するようになっている。
【００３８】
次に、本発明の第１の実施形態におけるインクジェット記録装置の制御動作を図８のフローチャートと共に説明する。なお、ここで行われる制御動作は、主として図５に示すメインＰＣＢ  Ｅ００１４内に設けられたＣＰＵがＲＯＭに格納されたプログラムに従って行う。  
ホストコンピュータからホストインターフェースＥ００１７を介して記録動作に関する情報が入力されると（ステップ１）、形成すべき画像の記録動作が「余白なし記録」であるか否かを表す情報の取得を行う（ステップ２）。この後、取得した情報によって「余白なし記録」を実行すべきか否かを判断する（ステップ３）。ここで、「余白なし記録」ではないと判断された場合は、記録媒体の縁に一定の余白を形成する「余白あり記録」を実行し（ステップ４）、画像形成動作を終了する（ステップ５）。
【００３９】
一方、ステップ３において、実行すべき記録動作が「余白なし記録」であると判断された場合は、ステップ６へ移行し、ここで現在設定されている記録モードを判断する。すなわち、現在設定されているモードが高品位画像を形成すべきモード（以下、高品位モードと称す）であるか、標準的な記録品位で高速に記録を行うモード（以下、標準モードと称す）であるかを判断する。この判断の結果、高品位モードであると判断された場合には、さらに、記録動作で使用されるインクの中にインク吸収部Ｍ３０４２上に堆積し易いインク（第１のインク）が含まれるか否かを判断する（ステップ７）。ここで、堆積し易いインクが使用されないと判断された場合には、ステップ８へ移行して「余白なし記録」を実行し、画像記録動作は終了する（ステップ９）。
【００４０】
本実施形態で使用する前述の８色のインクのうち、インク吸収体Ｍ３０４５上で堆積し易いインクは、特殊インク２（例えば、グリーン）のみであり、その他のインクは、堆積しにくいインクとなっている。従って、前記のステップ７では、インクジェット記録装置に入力された各色の記録データの中に、例えばグリーンのインクを吐出させるための記録データが含まれているか否かを判断する。この後、ステップ１０では、堆積し易いインクである特殊インク２を含めた複数種のインクを用いて「余白なし記録」を行う。この「余白なし記録」では、記録媒体だけでなく、その外側の領域に存在するインク吸収体Ｍ３０４２にもインクが吐出される。
【００４１】
「余白なし記録」が終了すると、記録ヘッドＨ１００１がキャリッジＭ４０００と共にインク吸収体全域を走査しつつ、記録ヘッドから特殊インク２以外のインクをインク吸収体Ｍ３０４３の全域に向けてインクを吐出させる（ステップ１１）。その結果、インク吸収体Ｍ３０４３上に堆積したインクは、堆積しにくいインクの溶剤によって溶解され、インク吸収体Ｍ３０４３内を浸透して行き、導出路Ｍ３０４６を経て廃インク吸収体Ｍ３０４３に滴下される。滴下されたインクは、廃インク吸収体Ｍ３０４３は滴下されて保持される。なお、インク吸収体Ｍ３０４５に堆積したインクに吐出するインク（第２のインク）は、特殊インク２以外のインクであれば、いずれのインクでも良い。
【００４２】
このように、この第１の実施形態では、堆積し易い特殊インク２を用いて「余白なし記録」を行った場合にも、特殊インク２がインク吸収体Ｍ３０４３上に堆積する量を確実に低減することができる。このため、インク吸収体Ｍ３０４２上に堆積したインクによる記録媒体の汚損や搬送不良、およびプラテンＭ３０４０上へのインクの溢れ出しなどを抑えることが可能になる。
【００４３】
（第２の実施形態）
次に本発明の第２の実施形態を説明する。  
図９は本発明の第２の実施形態におけるインクジェット記録装置の制御動作を示すフローチャートである。この第２の実施形態において、ステップ１１ａ以外の動作は、上記第１の実施形態と同様である。このため、これらの動作についての重複説明は省略する。
【００４４】
この第２の実施形態と、第１の実施形態との異なる点は、ステップ１１ａにおけるインク吸収体Ｍ３０４５に対し、堆積しにくいインク（第２のインク）を吐出する領域にある。すなわち、上記第１の実施形態では、第２のインクをインク吸収体Ｍ３０４５の全域に吐出した。これに対し、この第２の実施形態では、図１０および図１１に示すように、記録すべき記録媒体のサイズに応じた領域Ｅ１，Ｅ２内に位置するインク吸収体Ｍ３０４５に、第２のインクを吐出させるようになっている。
【００４５】
すなわち、Ｌ判の記録媒体Ｐ１に対して「余白なし記録」を行う場合、記録媒体Ｐ１の前端部が図１０（ａ）に示す位置に達した時点で記録ヘッドが領域Ｅ１内を走査し、その領域Ｅ１に位置するインク吸収体Ｍ３０４５にインクを吐出する。これにより、記録媒体Ｐ１の前端部内方および前端部外方にインクが吐出される。つまり、図１０（ａ）に示す状態において「余白なし記録」が行われた場合、領域Ｅ１内に位置するインク吸収体Ｍ３０４５の左端部から右端部に至る連続した範囲の中の下半分にインクが吐出されることとなる。その後、記録動作に伴って記録媒体Ｐ１が搬送されると、記録媒体Ｐ１は、図１０（ｂ）に示すようにインク吸収体Ｍ３０４５を完全に覆った状態となる。この状態で、インク吸収体Ｍ３０４５にインクが着弾する部分は、インク吸収体Ｍ３０４５の領域Ｅ１のうち、記録媒体Ｐ１の両側部より外方に位置する部分となる。
【００４６】
さらに、図１０（ｃ）に示す状態では、領域Ｅ１内に位置するインク吸収体Ｍ３０４５において左端部から右端部に至る連続した範囲の中の上半分にインクが吐出されることとなる。このように、Ｌ判の記録媒体Ｐ１に対して「余白なし記録」を行う場合には、Ｅ１の領域に位置するインク吸収体Ｍ３０４５の上面全体にインクが吐出されることとなる。これと同様に、Ａ４判の記録媒体Ｐ２に「余白なし記録」を行う場合には、図１１（ａ），（ｂ）に示すように、Ａ４判の記録媒体Ｐ２に応じたインク吸収体Ｍ３０４５の領域、すなわち、インク吸収体Ｍ３０４５の全域にインクが吐出されることとなる。
【００４７】
このように、「余白なし記録」を行う場合には、使用する記録媒体のサイズによって、インク吸収体Ｍ３０４５内に吐出されるインクの着弾する領域が変化する。このため、この第２の実施形態では、堆積し易いインクを用いて「余白なし記録」を行う場合、使用する記録媒体のサイズに応じた領域（Ｅ１またはＥ２）内に選択的に堆積しにくいインク（第２のインク）を吐出させるようになっている。これによれば、堆積し易いインク（第１のインク）が吐出された領域にのみ第２のインクが吐出されることとなり、インク消費量を抑えつつインク吸収体Ｍ３０４５におけるインクの堆積を効率的に低減することができる。
【００４８】
（第３の実施形態）
次に本発明の第３の実施形態を説明する。  
図１２は本発明の第３の実施形態におけるインクジェット記録装置の制御動作を示すフローチャートである。この第２の実施形態において、ステップ１〜９の動作は、上記第１の実施形態と同様である。このため、これらの動作についての重複説明は省略し、上記第１の実施形態と異なるステップ２０〜２６の動作を中心に説明する。
【００４９】
この第３の実施形態では、図１３に示すように、プラテンＭ３０４０上に仮想的に複数の分割領域Ａ〜Ｊを設定し、インク吸収体Ｍ３０４５に対するインク吐出数を各分割領域毎に累積的に加算する。  
すなわち、ステップ７では、記録動作で使用されるインクの中に堆積し易いインクが含まれるか否かの判断を行う。ここで堆積し易いインクが含まれていると判断された場合には、余白なし記録を開始すると共に、その記録動作によってインク吸収体Ｍ３０４５に吐出されたインク滴の数（インク吐出数）を各分割領域毎に累積的にカウントする（ステップ２０，２１）。図１３に示すようにプラテンＭ３０４０中に予め設定した複数の分割領域Ａ〜Ｊのうち、インク吸収体Ｍ３０４５に吐出された堆積しにくいインク（第１のインク）の吐出数を累積的にカウントしつつ、「余白なし記録」を行う（ステップ２１）。この後、カウント値が予め設定した閾値を超えたか否かを判断し（ステップ２２）、カウント値が閾値を越えていないと判断された場合には、画像の記録動作を終了する。また、閾値を超えたと判断された場合には、その閾値を越えた分割領域内に位置するインク吸収体Ｍ３０４５に対し、堆積しにくいインク（第２のインク）を吐出させる（ステップ２４）。この後、第２のインクが吐出された領域に対応するカウント値をリセットする（ステップ２５）。
【００５０】
このように、この第３の実施形態によれば、インク吸収体Ｍ３０４５に第１のインクが一定量以上堆積した場合、その堆積したインクに第２のインクを吐出させて堆積したインクを溶解させ、インク吸収体あるいは廃インク吸収体へと移動させることができる。このため、インク吸収体Ｍ３０４５の上面におけるインクの堆積量を、記録媒体が汚損されるような不都合が生じない範囲に抑えることが可能となる。さらに、各領域に堆積するインク量が閾値以上になるまでインクの吐出を行わないようにしているため、インクの消費量は、上記各実施形態よりもさらに抑えられ、より効率的に堆積インクを低減させることができる。
【００５１】
（第４の実施形態）
次に、本発明の第４の実施形態を説明する。  
図１４は本発明の第４の実施形態におけるインクジェット記録装置の制御動作を示すフローチャートである。この第４の実施形態において、ステップ１〜１０およびステップ２０の動作は、上記第３の実施形態と同様である。このため、これらの動作についての重複説明は省略し、上記第３の実施形態と異なるステップ３１〜４１の動作を中心に説明する。
【００５２】
上記第３の実施形態と同様に、ステップＳ２０、２１では、堆積し易いインク（第１のインク）によって「余白なし記録」を行いつつ、その記録動作においてインク吸収体に吐出されたインク滴の数（インク吐出数）を累積的にカウントする。次いで、ステップ３１では、予め設定したカウント値αまたはβと、カウントされた値Ｘとの大小関係を判断する。そして、カウント値Xが０以上でα未満である場合には、ステップ３２に移行し、カウントされた分割領域に位置するインク吸収体Ｍ３０４５上に少量の堆積しにくいインク（第２のインク）を吐出させる。この後、第２のインクを吐出した分割領域のカウント値をリセットし（ステップ３３）、画像の記録動作は終了する（ステップ３４）。
【００５３】
一方、ステップＳ３１において、カウント値Xがα以上でβ未満であると判断された分割領域の場合には、その分割領域内のインク吸収体Ｍ３０４５上に中量の第２のインクを吐出させる（ステップ３６）。その後、その分割領域のカウント値はリセットし（ステップ３７）、画像記録動作を終了する（ステップ３８）。  
さらに、カウント値Xがβ以上の分割領域に対しては、その分割領域内に位置するインク吸収体Ｍ３０４５に対し、多量の第２のインクを吐出させる（ステップ３９）。その後、その分割領域に対応するカウント値をリセットし（ステップ４０）、画像記録動作を終了する（ステップ４１）。
【００５４】
（その他）
上記実施形態では、「余白なし記録」においてインク吸収体上にインクが吐出される場合を例に採り説明した。しかしながら、本発明は、堆積し易いインクと堆積しにくいインクとを用いるインクジェット記録装置において、記録ヘッドに対向して設けられたインク吸収体上に堆積し易いインクが吐出される状況が存在する場合には全て適用可能である。例えば、インクジェット記録装置では、記録ヘッドの吐出性能を維持するため、記録動作の前後、あるいは動作中に記録動作に寄与しないインクの吐出（予備吐出）が行われる。この予備吐出は、記録ヘッドの走査経路の両端位置などに設けられたインク受け部（例えば、図１では、Ｍ５０１１に示す）などに行われることが一般的であるが、プラテンに設けられたインク吸収体に吐出されることもある。例えば、大判の記録媒体への記録を可能とする長尺な走査経路を有する記録装置で、小判の記録媒体を記録する際には、端部に位置するインク受け部ではなく、プラテンのインク吸収体に予備吐出を行うことで効率化を図ることも行われている。この場合、インク吸収体上にインクが堆積する可能性がある。従って、予備吐出によって堆積し易いインクが吐出された場合には、これに重ねて堆積し難いインクを吐出することでインク吸収体上に堆積したインクを溶解させ、堆積量を低減することが可能である。このように、本発明は、「余白なし記録」以外の記録動作にも適用可能である。
【００５５】
なお、上記各実施形態では、プラテン部内で異なる色調のインク同士が接触・混合するものであるので、そのときに反応を起こさないインクセットを使用することが望ましい。すなわち少なくともブラック、ライトシアン、ライトマゼンタ、特殊インク１および特殊インク２のインクセットのそれぞれについて、反応を起こさないもの、特に固体化を起こさないものとするのが望ましい。
【００５６】
しかし異なる種類のインクが接触・混合してもプラテン部におけるインク吸収性能やメンテナンス性などに何ら悪影響が生じないのであれば、染料系、顔料系のいずれのインクも適用可能である。また使用する色調についても、特に限定されるものではない。さらに、上記のような悪影響を及ぼす反応を生じる複数種類のインクが用いられる場合には、堆積し易いインクに対して接触・混合による反応が生じないものを選択し、それらのインクをインク吸収体の同一箇所に吐出させるようにすることも可能である。
【００５７】
また、吐出するインク色の種類や数、第１のインクおよび第２のインクの色数などについても、本発明は特に限定されるものではなく、装置の小型化ないし低廉化なども勘案して、適宜設計変更可能である。
【図面の簡単な説明】
【００５８】
【図１】本発明の実施形態で適用するインクジェット記録装置の内部機構を示す斜視図である。
【図２】本発明の実施形態に適用するヘッドカートリッジにインクタンクを装着する状態を示す斜視図である。
【図３】本発明の実施形態で適用したヘッドカートリッジの分解斜視図である。
【図４】本発明の実施形態における記録ヘッドのノズル群の配列構成を示す説明平面図である。
【図５】本発明の実施形態における制御系の全体構成を概略的に説明するためのブロック図である。
【図６】本発明の実施形態におけるプラテンと、その周辺機構を概略的に示す一部縦断側面図である。
【図７】本発明の実施形態におけるプラテンに設けられたインク吸収体の構成を示す平面図である。
【図８】本発明の第１の実施形態における記録動作を示すフローチャートである。
【図９】本発明の第２の実施形態における記録動作を示すフローチャートである。
【図１０】本発明の第２の実施形態においてＬ判の記録媒体に余白なし記録を行う過程を示す説明平面図である。
【図１１】本発明の第２の実施形態においてＡ４判の記録媒体に余白なし記録を行う過程を示す説明平面図である。
【図１２】本発明の第３の実施形態における記録動作を示すフローチャートである。
【図１３】本発明の第３の実施形態においてプラテン上に設定した分割領域を示す説明平面図である。
【図１４】本発明の第４の実施形態における記録動作を示すフローチャートである。
【符号の説明】
【００５９】
Ｍ３０４０  プラテン
Ｍ５０１１  インク受け部
Ｅ０００１  キャリッジモータ
Ｅ０００５  エンコーダスケール
Ｅ００１４  メインＰＣＢ基板
Ｈ１０００  ヘッドカートリッジ
Ｈ１００１  記録ヘッド
Ｈ１１００  第１の記録素子板
Ｈ１１０１  第２の記録素子板
Ｈ１５００  タンクホルダー
Ｈ１９００  インクタンク
１３０２  記録ヘッド部
１３０３  記録ヘッド部
１３０４〜１３１１  吐出部
Ｅ１，Ｅ２  プラテンに設定した領域
Ａ〜Ｊ  プラテンに設定した分割領域
【図１】
2007320250.tif 000003
【図２】
2007320250.tif 000004
【図３】
2007320250.tif 000005
【図４】
2007320250.tif 000006
【図５】
2007320250.tif 000007
【図６】
2007320250.tif 000008
【図７】
2007320250.tif 000009
【図８】
2007320250.tif 000010
【図９】
2007320250.tif 000011
【図１０】
2007320250.tif 000012
【図１１】
2007320250.tif 000013
【図１２】
2007320250.tif 000014
【図１３】
2007320250.tif 000015
【図１４】
2007320250.tif 000016